(57)【要約】【課題】ルーバに接合している線ばねが本体に設けている線ばねと係合する線ばね係合部にきちんと保持することができることを目的とする。【解決手段】線ばね係合部１３に、線ばね１２を保持する線ばね保持部１５を設け、前記線ばね保持部１５から両側に向かって高くなって行く傾斜状のガイド部１６を設けたという構成にしたことにより、線ばね１２が、傾斜状のガイド部１６の傾斜に接触しながら線ばね保持部１５へ移動すると共にルーバ１１が開口部１０を覆い装着されることとなるので線ばね１２が前記線ばね係合部１３に設けた線ばね保持部１５にきちんと保持することができる換気装置２０を得られる。【選択図】図１
2013036673.tif 000002
【特許請求の範囲】
【請求項１】
底面に吸込口とフランジ部を設け、上面に通風口とを設けた箱体に、前記箱体の底面の開口部を室内側から覆い装着する裏面に設けた２股状で先端がほぼ環状の線ばねを有したルーバを、前記線ばねと係合するように前記フランジ部の上部に前記線ばねと係合する線ばね係合部を設け、前記線ばね係合部に前記線ばねを保持する線ばね保持部を設け、前記線ばね保持部から両側に向かって高くなって行く傾斜状のガイド部を設けたことを特徴とする換気装置。
【請求項２】
ガイド部の傾斜状端部の高さを、通風路に近い内側の傾斜部端部を外側の傾斜部端部より高くしたことを特徴とする請求項１に記載の換気装置。
【発明の詳細な説明】
【技術分野】
【０００１】
本発明は、天井等に設置されて換気を行う換気装置に設けられるルーバの取付方法に関するものである。
【背景技術】
【０００２】
従来、この種の換気装置としては、ばね係合部材を本体フランジ本体内部のケーシングに設けて、ルーバのばねを取り付ける換気装置用が知られている（例えば、特許文献１参照）。
【０００３】
以下、その換気装置について図６を参照にしながら説明する。
【０００４】
図６に示すように、底面に吸込口１０１を有し、側面に通風口１０２を設け、上部にモータ１０３およびモータ保持板１０４  、内部に羽根１０５  、ケーシング１０６を収納した箱状の換気装置１０７と、通風口１０２に連通する換気装置１０７側の接続口１０８およびダクト１０９と連通するダクト１０９側の接続口１１０を一体に設け、天井１１１に設けた開口１１２を覆うように装着されるルーバ１１３と、このルーバ１１３を装着するために、ルーバ１１３の裏面に設けられた２股状で先端がほぼ環状の線ばね１１４  を２箇所有し、ばね係合部材１１５に係合させて取り付ける構成となっている。
【先行技術文献】
【特許文献】
【０００５】
【特許文献１】特開２００７−２１２００１号公報
【発明の概要】
【発明が解決しようとする課題】
【０００６】
このような従来の換気装置においては、ルーバに接合している線ばねが本体に設けている線ばねと係合する係合部にきちんと保持することができない、という課題を有していた。
【０００７】
そこで本発明は、上記従来の課題を解決するものであり、ルーバに接合している線ばねが本体に設けている線ばねと係合する係合部にきちんと保持することができる換気装置を提供することを目的とする。
【課題を解決するための手段】
【０００８】
そして、この目的を達成するために、本発明は、線ばね係合部に、線ばねを保持する線ばね保持部を設け、前記線ばね保持部から両側に向かって高くなって行く傾斜状のガイド部を設けたこととしたものであり、これにより所期の目的を達成するものである。
【発明の効果】
【０００９】
本発明によれば線ばね係合部に、線ばねを保持する線ばね保持部を設け、前記線ばね保持部から両側に傾斜状のガイド部を設けたという構成にしたことにより、線ばねが、傾斜状のガイド部の傾斜に接触しながら線ばね保持部へ移動すると共にルーバが開口部を覆い装着されることとなるので線ばねが前記線ばね係合部に設けた線ばね保持部にきちんと保持することができるという効果を得ることができる。
【図面の簡単な説明】
【００１０】
【図１】本発明の実施の形態１の換気装置を示す側面断面図
【図２】本発明の実施の形態１の線ばね係合部のガイド部を示す斜視図
【図３】本発明の実施の形態１のガイド部を示す断面図
【図４】本発明の実施の形態２の線ばね係合部のガイド部を示す斜視図
【図５】本発明の実施の形態２の換気装置を示す側面図
【図６】従来の換気装置の側面断面図
【発明を実施するための形態】
【００１１】
本発明の請求項１記載の換気装置は、室内から天井裏に導通する通風路を有し、
底面に吸込口とフランジ部を設け、上面に通風口とを設けた箱体に、前記箱体の底面の開口部を室内側から覆い装着する裏面に設けた２股状で先端がほぼ環状の線ばねを有したルーバを、前記線ばねと係合するように前記フランジ部の上部に前記線ばねと係合する線ばね係合部を設け取り付け、前記線ばね係合部に前記線ばねを保持する線ばね保持部を設け、前記線ばね保持部から両側に向かって高くなって行く傾斜状のガイド部を設けたことという構成を有する。これにより、線ばねが、傾斜状のガイド部の傾斜に接触しながら線ばね保持部へ移動すると共にルーバが開口部を覆い装着されることとなるので線ばねが前記線ばね係合部に設けた線ばね保持部にきちんと保持することができるという効果を奏する。
【００１２】
また、ガイド部の傾斜状端部の高さを、吸込口に近い内側の傾斜部端部を外側の傾斜部端部より高くしたという構成にしてもよい。これにより、線ばねが外側の傾斜部端部より高い位置から通風路に近い内側のガイド部に接触しながら線ばね保持部へ移動すると共にルーバが開口部を覆い装着されることとなるので線ばねが前記線ばね係合部に設けた線ばね保持部に線ばねの挿入状態によらずより安定して確実に線ばね係合部に設けた線ばね保持部にきちんと保持することができるという効果を奏する。
【００１３】
以下、本発明の実施の形態について図面を参照しながら説明する。
【００１４】
（実施の形態１）
図１、図２に示すように、室内１から天井裏２に導通する通風路３を設け、底面に吸込口４とフランジ部５を有し、上面に通風口６を設け、上部にモータ７およびモータ保持板８、内部に羽根９、例えばプロペラファンを収納した箱体、具体的には円筒状の換気装置２０と、箱体の底面の開口部１０を室内１側から覆い装着するルーバ１１、例えば格子状のルーバ１１と、ルーバ１１を装着するために、ルーバ１１の裏面に設けた２股状で先端がほぼ環状の金属製の線ばね１２を対照となるように２箇所有し、線ばね係合部１３に係合させて取り付ける構成としている。
【００１５】
そして、換気装置２０を運転すると、モータ７が駆動し羽根９が回転することとなり、吸込口４から室内１の空気が吸込まれて通風口６から天井裏２へ排出されることとなる。
【００１６】
ルーバ１１の取り付け方法としては、ルーバ１１の裏面に設けられた２股状で先端がほぼ環状の線ばね１２の中央部を手でつまみながらフランジ部５下部に設けた線ばね挿入口１４から挿入した後に線ばね１２から手を離すと線ばね１２が広がり、換気装置２０のフランジ部５の上部に設けられた線ばね係合部１３に取り付く。
【００１７】
そして、図２、図３に示すように、線ばね係合部１３は線ばね挿入口１４と線ばね１２を保持する線ばね保持部１５と線ばね１２を線ばね保持部１５へと案内するガイド部１６からなる筒状であり、ガイド部１６は線ばね保持部１５から通風路３へ向かう方向と、離れる方向の両側に向かって高くなって行く傾斜状の形状となっている。線ばね１２は線ばね挿入口１４から挿入した後に線ばね１２から手を離すとガイド部１６の傾斜に接触しながら線ばね保持部１５へ向かって移動し、線ばね保持部１５に係合して、ルーバ１１を取り付ける。
【００１８】
そして図３に示すように、例えばガイド部１６の角度ａは望ましくは１５度以上で、角度が０度より１５度までの場合、線ばね１２がガイド部１６を接触しながら移動する力が弱くなってしまい線ばね係合部１３に設けた線ばね保持部１５にきちんと保持することができにくくなる。
【００１９】
（実施の形態２）
実施の形態１と同一構成のところは、同一番号を付し詳細な説明は省略する。
【００２０】
また、図４、図５に示すように、線ばね保持部１５から両側に向かって高くなって行く傾斜状のガイド部１６の通風路３に近い内側の傾斜部端部１７ａを通風路３の外壁上に外側の傾斜部端部１７ｂより通風口６に向かって高くなるような位置に設け、かつ通風路３の外壁に一体に設けた構成となっている。
【００２１】
上記構成においては、線ばね係合部１３の線ばね挿入口１４より挿入された線ばね１２は、通風路３に近い内側の傾斜状のガイド部１６に接触しながら線ばね保持部１５へ移動することにより通風路３の方向への動きが制限され、通風路３側にあるモータリード線１８へ接触する方向へ移動することがなくなり、線ばね係合部１３に係合する時にフランジ部５の上部に設置された電装部１９から通風路３の外壁に沿って通風口６に向かって設置されたモータリード線１８に接触してモータリード線１８を傷つけたり、モータリード線１８に引っ掛かり線ばね保持部１５で保持できなくなることがなくなり、線ばね１２の挿入状態によらずより安定して確実に線ばね係合部１３に設けた線ばね保持部１５にきちんと保持することができる。
【産業上の利用可能性】
【００２２】
本発明にかかる換気装置は、ルーバの線ばね取り付け構造において天井等に本体を設置し本体にルーバの線ばねをきちんと保持することを可能とするものであるので、空調機、送風機等に設けられているルーバのばね取り付けとして有用である。
【符号の説明】
【００２３】
１      室内
２      天井裏
３      通風路
４      吸込口
５      フランジ部
６      通風口
７      モータ
８      モータ保持板
９      羽根
１０    開口部
１１    ルーバ
１２    線ばね
１３    線ばね係合部
１４    線ばね挿入口
１５    線ばね保持部
１６    ガイド部
１７ａ  傾斜部端部
１７ｂ  傾斜部端部
１８    モータリード線
１９    電装部
２０    換気装置
【図１】
2013036673.tif 000003
【図２】
2013036673.tif 000004
【図３】
2013036673.tif 000005
【図４】
2013036673.tif 000006
【図５】
2013036673.tif 000007
【図６】
2013036673.tif 000008